(57)【要約】【課題】  特殊ネジに対応する孔が設けられていない収納庫に、強固に取り付け可能なカバーを提供する。【解決手段】  カバーは、固定部５０と前被覆部６０と後被覆部７０を備える。固定部５０は、収納庫であるＡＴＭ１００のアンカーボルト２０，２１に対応する位置に孔が形成されており、アンカーボルト２０，２１によりＡＴＭ１００と一体化して床に固定可能である。前被覆部６０と後被覆部７０は、締めたり緩めたりするのに専用の道具を必要とする特殊ネジ８０〜８３により、固定部５０に取り付ける。【選択図】        図２
2005215774.tif 000002
【特許請求の範囲】
【請求項１】
所定の設置面にアンカーボルトで固定される所定の収納庫と、前記設置面との間にできる隙間を覆うように、前記収納庫に取り付けられるカバーであって、
前記アンカーボルトに対応する位置に孔が形成されており、前記アンカーボルトにより前記収納庫と一体化して固定される固定部と、
前記固定部に固定され、前記隙間の少なくとも一部を覆う被覆部と
を備えたカバー。
【請求項２】
請求項１記載のカバーであって、
前記被覆部は、前記固定部から着脱可能であるカバー。
【請求項３】
請求項２記載のカバーであって、
前記着脱には専用の道具を要するカバー。
【発明の詳細な説明】
【技術分野】
【０００１】
本発明は、収納庫と収納庫の設置面との間にできる隙間を覆うように、収納庫に取り付けられるカバーに関する。
【背景技術】
【０００２】
金融機関においては、ＡＴＭ（Ａｕｔｏｍａｔｉｃ  Ｔｅｌｌｅｒ  Ｍａｃｈｉｎｅ：現金自動預入引出機）が利用されている。ＡＴＭの底面には、ＡＴＭの移動を楽に行なえるよう、一般に、キャスタが備え付けられている。よって、ＡＴＭの底面と床面の間には隙間がある。ＡＴＭにキャスタが備えられていない場合であっても、ＡＴＭ内部へＡＴＭの底面からケーブルを通すという目的から、ＡＴＭの底面と床面の間には隙間が設けられていることが多い。
【０００３】
図１は、ＡＴＭを床面に固定した様子を示す説明図である。上の図は、側面図であり、下の図は、下面図である。ＡＴＭ１００の底面１０１には、アンカーボルト２０，２１を通すための孔１０３，１０４が開けられている。ＡＴＭ１００は、孔が設けられた床面４０にアンカーボルト２０，２１により固定される。ＡＴＭ１００には、四隅にキャスタ３０ａ，３０ｂ，３０ｃ，３０ｄが備えられているため、ＡＴＭ１００を床面４０に固定した場合であっても、底面１０１と床面４０との間には隙間１０が生じる。
【０００４】
従来、そのような隙間１０を利用して、重機２００による盗難が行なわれることがあった。盗難は、隙間１０に重機２００を差し込み、ＡＴＭ１００を下側から掬い上げるように持ち上げて転倒させることで行なわれる。この様な盗難を防止するため、隙間１０には容易に取り外せないカバーを取り付けることが望ましい。
【０００５】
特許文献１には、ＡＴＭの隙間１０に取り付けるカバーが開示されている。このカバーは、締めたりゆるめたりするのに専用の工具を必要とするネジ（以下、特殊ネジと呼ぶ）で、ＡＴＭに直接取り付けられる。そのため、ＡＴＭから容易に取り外すこともできないようになっている。
【０００６】
【特許文献１】特開２００２−３２９２２８号公報
【発明の開示】
【発明が解決しようとする課題】
【０００７】
しかしながら、特許文献１のカバーは、ＡＴＭ１００の側面に特殊ネジによって取り付けられるので、そのための孔が設けられていないＡＴＭ１００には、取り付けることができなかった。このことは、ＡＴＭ１００に限らず、設置面に強固に固定すべき収納庫に共通した課題である。
【０００８】
本発明は、上記した問題点を解決するためになされたものであり、特殊ネジに対応する孔が設けられていない収納庫に、強固に取り付け可能なカバーを提供することを目的とする。
【課題を解決するための手段】
【０００９】
上記課題の少なくとも一部を解決するカバーは、所定の設置面にアンカーボルトで固定される所定の収納庫と、前記設置面との間にできる隙間を覆うように、前記収納庫に取り付けられるカバーであって、前記アンカーボルトに対応する位置に孔が形成されており、前記アンカーボルトにより前記収納庫と一体化して固定される固定部と、前記固定部に固定され、前記隙間の少なくとも一部を覆う被覆部とを備えることを特徴とする。
【００１０】
本発明のカバーは、アンカーボルトを利用することにより、収納庫にカバー取り付け用の孔などを設けるまでもなく、収納庫に強固に取り付け可能である。被覆部は、隙間への重機の侵入を防ぐことが可能な程度に、隙間を覆うことができれば良い。
【００１１】
設置面は、天井でも床でも壁でも良い。収納庫としては、例えばＡＴＭや金庫などが挙げられる。カバーは、収納庫の設置面積からはみ出す形状のものでも構わない。
【００１２】
上記したカバーの、固定部と被覆部は一体化されていても良いが、被覆部は固定部から着脱可能であるものであっても良い。固定部と被覆部を分離すれば、収納庫の脚などを折りたたんだり収納庫を持ち上げたりする必要もなく、カバーを取り付けることが容易になる。
【００１３】
更に、上記したカバーは、被覆部の固定部からの着脱には専用の道具を要するものであっても良い。
【００１４】
これによれば、専用の道具がなければ、カバーを収納庫から取り外すことが困難になるため、盗難防止効果が高まる。着脱に専用の道具を要する構造としては、例えば、頭部形状が規格外の特殊ネジを用いて、被覆部を固定部に固定する構造が挙げられる。
【発明を実施するための最良の形態】
【００１５】
以下、本発明の実施の形態について、以下の項目に分けて説明する。
Ａ．実施例：
Ａ１．全体構成：
Ａ２．カバーの取り付け手順：
Ａ３．効果：
Ｂ．変形例：
【００１６】
Ａ．実施例：
Ａ１．全体構成：
本実施例のカバーは、ＡＴＭに取り付け可能なカバーである。ここでのＡＴＭは、図１に示したＡＴＭ１００と同一のものであり、アンカーボルト２０，２１により床に固定可能である。図２は、本実施例のカバーを図示した分解斜視図である。カバーは、図の中ほどより下の部分に示した３つの部品、固定部５０，前被覆部６０，後被覆部７０により構成されている。図の中ほどより上の部分には、これらの部品をＡＴＭ１００に取り付けた状態が図示してある。本実施例のカバーをＡＴＭ１００に取り付けた場合、前被覆部６０と後被覆部７０が接触しない。また、前被覆部６０や後被覆部７０は枠形状である。よって、カバーを取り付けた状態であっても、ＡＴＭ１００の底面１０１と床面４０の間には隙間がある。よって、その隙間をＡＴＭ１００に配線されるケーブルを通すための空間として利用可能である。ＡＴＭ１００の前扉１０２は開閉可能である。以下、矢印１方向から各部品を見たものとして説明する。
【００１７】
固定部５０は直方体の部品である。固定部５０は、後述するアンカーボルト用の貫通孔２０ａ，２１ａや特殊ネジに対応する孔８０ａ，８１ａ，８２ａ，８３ａを設けられるよう、中実である。なお、アンカーボルト用の貫通孔２０ａ，２１ａや特殊ネジに対応する孔８０ａ，８１ａ，８２ａ，８３ａを開ける部分以外は中空になっていても良い。なお、ここでいう特殊ネジとは、頭部形状が規格外のネジのことである。
【００１８】
図示の都合上、各寸法の差は明確に示されてはいないが、固定部５０の高さｆｈは、隙間１０の高さｈに比べ、僅かに低い。固定部５０の幅ｆｗは、ＡＴＭ１００の幅ｗの３分の１である。固定部５０の奥行きｆｄは、ＡＴＭ１００の奥行きｄより僅かに短い。固定部５０には、ＡＴＭ１００の孔１０３，１０４（図１参照）に対応する位置に、アンカーボルト用の貫通孔２０ａ，２１ａが開けられている。更に、固定部５０には、前被覆部固定用の孔８０ａ，８１ａが、固定部の前面、中ほどに並んで開けられている。前被覆部固定用の孔８０ａ，８１ａは、特殊ネジに対応する孔であり、前被覆部固定用の孔８０ａ，８１ａの深さは、特殊ネジの長さに対応している。また、固定部５０には、後被覆部固定用の孔８２ａ，８３ａが、固定部の後面、中ほどに並んで開けられている。後被覆部固定用の孔８２ａ，８３ａも、特殊ネジに対応する孔であり、後被覆部固定用の孔８０ａ，８１ａの深さも、特殊ネジに対応している。
【００１９】
前被覆部６０は四角い枠形状であるが、間隙部ｏｐという間隙が存在する。間隙部ｏｐの幅ｏｐｗは、固定部５０の幅ｆｗよりわずかに長い。前被覆部６０の高さｃｈは、隙間１０の高さｈより僅かに低い。前被覆部６０の幅ｃｗは、ＡＴＭ１００の幅ｗより僅かに短い。前被覆部６０の奥行きｃｄは、ＡＴＭ１００の奥行きｄの５分の２である。そして、前被覆部６０の前枠の中ほどには、固定部５０の前被覆部固定用の孔８０ａ，８１ａに対応する位置に、孔８０ｂ，８１ｂが開けられている。孔８０ｂ，８１ｂは特殊ネジに対応する孔である。後被覆部７０は、前被覆部６０と対称な同一形状の部品である。
【００２０】
Ａ２．カバーの取り付け手順：
次に、カバーの３つの部品をＡＴＭ１００に取り付ける手順について説明する。なお、ここでのＡＴＭ１００には、図１のＡＴＭ１００のように、キャスタ３０ａ，３０ｂ，３０ｃ，３０ｄが備えつけられている。また、ＡＴＭ１００は、図１のＡＴＭ１００のように、アンカーボルト２０，２１により床面４０に固定可能なものである。
【００２１】
まず、図２を参照して取り付け手順を説明する。作業者は、ＡＴＭ１００に対する固定部５０，前被覆部６０，後被覆部７０の配置が図２の上の図の状態になるよう、それらを設置する。固定部５０は、ＡＴＭ１００の前方から隙間１０に挿入して設置する。前被覆部６０，後被覆部７０を、ＡＴＭ１００の前方や後方から隙間１０に挿入して設置するには、キャスタ３０ａ，３０ｂ，３０ｃ，３０ｄが邪魔になる。よって、作業者はＡＴＭ１００を持ち上げ、前被覆部６０，後被覆部７０を設置する。
【００２２】
作業者は、次に、アンカーボルト２０，２１によりＡＴＭ１００と固定部５０を一体化して固定する。つまり、アンカーボルト２０を、孔１０３（図１参照）とアンカーボルト用の貫通孔２０ａに通して床面４０に固定し、アンカーボルト２１を、孔１０４（図１参照）とアンカーボルト用の貫通孔２１ａに通して床面４０に固定する。なお、その固定作業は、ＡＴＭ１００の前扉１０２を開けてできる開口部から行なう。
【００２３】
図３は、固定作業後のＡＴＭ１００及びカバーの様子を示す下面図である。作業者は、固定作業後、特殊ネジ８０，８１により前被覆部６０を固定部５０に取り付ける。具体的には、特殊ネジ８０を、孔８０ｂと前被覆部固定用の孔８０ａに通して固定し、特殊ネジ８１を、孔８１ｂと前被覆部固定用の孔８１ａに通して固定する。
【００２４】
次に、後被覆部７０を固定部５０に取り付ける。手順は、前被覆部６０と同じであるから説明は省略する。
【００２５】
Ａ３．効果：
上記したように、本実施例のカバーは、アンカーボルト２０，２１を利用することにより、既存のＡＴＭ１００に強固に取り付け可能である。図３のように、ＡＴＭ１００にカバーが取り付けられていれば、重機２００をＡＴＭ１００の下にある隙間１０に入り込ませることができない。ＡＴＭ１００の前方向からも横方向からも後方向からも不可能である。つまり、重機２００によりＡＴＭ１００を下側から掬い上げるように持ち上げて転倒させることができないため、本実施例のカバーを用いれば、ＡＴＭ１００の盗難防止になる。
【００２６】
Ｂ．変形例：
なお、この発明は上記の実施形態に限られるものではなく、その要旨を逸脱しない範囲において種々の態様において実施することが可能であり、例えば次のような変形も可能である。
【００２７】
固定部５０と前被覆部６０，後被覆部７０とを固定する特殊ネジは２つでなくても良い。前被覆部６０と後被覆部７０の構造も、様々に考えられる。本実施例のカバーでは、取り付けられた状態では、前被覆部６０と後被覆部７０は接触していないが、前被覆部６０と後被覆部７０の奥行きを長くして、接触するようにしても良い。
【００２８】
更に、前被覆部６０の構造は様々に考えられる。図２を参照して説明する。前被覆部６０の後枠である支え部６２ａ，６２ｂは、折り曲げ部６１ａ，６１ｂの箇所で折り曲げが可能であっても良い。支え部６２ａ，６２ｂを伸ばした状態にすれば、キャスタ３０ａ，３０ｄに阻まれずに、前被覆部６０をＡＴＭ１００の前方から隙間１０に挿入可能であるから、前被覆部６０の設置のためにＡＴＭ１００を持ち上げなくても良くなる。
【００２９】
前被覆部６０は、折り曲げ部６３で矢印６３ａ，６３ｂ方向に折り曲げ可能であるものとしても良い。折り曲げ部６３で折り曲げた状態であれば、キャスタ３０ａ，３０ｄに阻まれずに、前被覆部６０をＡＴＭ１００の前方から隙間１０に挿入可能である。
【００３０】
支え部６２ａ，６２ｂの少なくとも一方がなくても良い。支え部６２ａ，６２ｂの少なくとも一方がなければ、キャスタ３０ａ，３０ｄに阻まれずに、前被覆部６０をＡＴＭ１００の前方から隙間１０に挿入可能である。
【００３１】
前被覆部６０は、折り曲げ部６３で分離可能なものであっても良い。折り曲げ部６３で分離すれば、キャスタ３０ａ，３０ｄに阻まれずに、前被覆部６０をＡＴＭ１００の横方向から隙間１０に挿入可能である。
【００３２】
以上で示した前被覆部６０の構造の変形例は、後被覆部７０に対しても同様に適用可能である。その他、カバーを硬い材料で形成すれば、盗難防止効果が高まる。
【００３３】
また、固定部５０，前被覆部６０，後被覆部７０は、ＡＴＭ１００に対して横方向から取り付けられるものであっても良い。つまり、固定部５０，前被覆部６０，後被覆部７０は、図２の上の図の状態から９０度回転した状態で取り付けられるものであっても良い。このとき、固定部５０の幅は、ＡＴＭ１００の幅ｗより僅かに短く、固定部５０の奥行きは、ＡＴＭ１００の奥行きｄの３分の１程度である。そして、横面に被覆部固定用の孔がある。被覆部は、前被覆部６０，後被覆部７０を９０度回転した右被覆部と左被覆部として、奥行きがＡＴＭ１００の奥行きｄより僅かに短く、幅はＡＴＭ１００の幅ｗの５分の２であるものを用意する。右被覆部と左被覆部には、固定部の被覆部固定用の孔に対応する位置に孔が設けられている。
【図面の簡単な説明】
【００３４】
【図１】ＡＴＭを床面に固定した様子を示す説明図である。
【図２】本実施例のカバーを図示した説明図である。
【図３】固定作業後のＡＴＭ１００及びカバーの様子を示す下面図である。
【符号の説明】
【００３５】
１...矢印
１０...隙間
２０，２１...アンカーボルト
２０ａ，２１ａ...アンカーボルト用の貫通孔
３０ａ，３０ｂ，３０ｃ，３０ｄ...キャスタ
４０...床面
５０...固定部
６０...前被覆部
６１ａ，６１ｂ...折り曲げ部
６２ａ，６２ｂ...支え部
６３...折り曲げ部
６３ａ，６３ｂ...矢印
７０...後被覆部
７１ａ，７１ｂ...折り曲げ部
７２ａ，７２ｂ...支え部
７３...折り曲げ部
８０ａ，８１ａ...前被覆部固定用の孔
８０，８１...特殊ネジ
８０ｂ，８１ｂ...孔
８２ａ，８３ａ...後被覆部固定用の孔
８２，８３...特殊ネジ
８２ｂ，８３ｂ...孔
１００...ＡＴＭ
１０１...底面
１０２...前扉
１０３，１０４...孔
２００...重機
ｄ...ＡＴＭ１００の奥行き
ｗ...ＡＴＭ１００の幅
ｈ...隙間１０の高さ
ｆｄ...固定部５０の奥行き
ｆｗ...固定部５０の幅
ｆｈ...固定部５０の高さ
ｃｄ...前被覆部６０の奥行き
ｃｗ...前被覆部６０の幅
ｃｈ...前被覆部６０の高さ
ｏｐ...間隙部
ｏｐｗ...間隙部ｏｐの幅
【図１】
2005215774.tif 000003
【図２】
2005215774.tif 000004
【図３】
2005215774.tif 000005